(57)【要約】【課題】扉を開放しながら吊戸棚の前側下方で作業をしても頭が扉に当たることがなく、且つ開放時でもハンドル部が手前にあって操作性を損なわない開閉扉を備えた吊戸棚を提供すること。【解決手段】前面開口形の棚体１に、この開口部１Ａの上側部分を開閉自在に閉塞する上扉２と、開口部１Ａの下側部分を開閉自在に閉塞する下扉３とを設け、上扉２は開口部１Ａの上縁部に枢着して起動開放し得るように構成し、下扉３は開口部１Ａに沿って下方へスライド自在に設けてスライド開放し得るように構成し、この下扉３に開閉操作用ハンドル部４を設け、この下扉３と上扉２とを連動機構５を介して連結すると共に、この連動機構５によりハンドル部４を操作して下扉３を下方へスライド移動させると、前記上扉２が連動起動して前記開口部１Ａが開放するように構成する。【選択図】        図２
2004305492.tif 000002
【特許請求の範囲】
【請求項１】
前面開口形の棚体に、この開口部の上側部分を開閉自在に閉塞する上扉と、開口部の下側部分を開閉自在に閉塞する下扉とを設け、上扉は開口部の上縁部に枢着して起動開放し得るように構成し、下扉は開口部に沿って下方へスライド自在に設けてスライド開放し得るように構成し、この下扉に開閉操作用ハンドル部を設け、この下扉と上扉とを連動機構を介して連結すると共に、この連動機構によりハンドル部を操作して下扉を下方へスライド移動させると、前記上扉が連動起動して前記開口部が開放するように構成したことを特徴とする吊戸棚。
【請求項２】
前記棚体の開口部を閉塞している前記下扉を下方へスライド移動させると、前記上扉が連動起動して開口部が開放し、この開放状態から下扉を上方へスライド移動させると、上扉が連動伏動して開口部が閉塞する前記連動機構を構成したことを特徴とする請求項１記載の吊戸棚。
【請求項３】
前記上扉と前記下扉とをリンク装置を介して連結し、このリンク装置により下扉を下方へスライド移動させると、同時に上扉が起動開放する前記連動機構を構成したことを特徴とする請求項１，２のいずれか１項に記載の吊戸棚。
【請求項４】
前記下扉と前記上扉を、前記開口部を閉塞した状態と、開放した状態とに保持する保持機構を備えたことを特徴とする請求項１〜３のいずれか１項に記載の吊戸棚。
【請求項５】
前記連動機構に、前記下扉と前記上扉が前記開口部を閉塞した状態と、開放した状態とを弾圧付勢して保持する弾性体を設けて前記保持機構を構成し、この弾性体の弾圧付勢力に抗して下扉と上扉とを開放若しくは閉塞し得るように構成したことを特徴とする請求項４記載の吊戸棚。
【請求項６】
前記開口部を開放するために前記下扉を下方へスライド移動させる際には、この下扉の自重が前記弾性体の付勢力に抗する下向きの力として作用し、開口部を閉塞するために下扉を上方へスライド移動させる際には、前記上扉の自重が前記弾性体の付勢力に抗する下向きの力として作用するように上扉と下扉の重さと弾性体の付勢力とを設定したことを特徴とする請求項５記載の吊戸棚。
【請求項７】
前記上扉と前記下扉とは、前記棚体内に設置した棚配設用収納装置がこの棚体の前側下方へ引き出し配設する際に引き出しの妨げとならない位置まで起動退避及びスライド退避して前記開口部を開放し得るように構成したことを特徴とする請求項１〜６のいずれか１項に記載の吊戸棚。
【発明の詳細な説明】
【０００１】
【発明の属する技術分野】
本発明は、例えば、流し台の上方に備え付けられる吊戸棚に関するものである。
【０００２】
【従来の技術及び発明が解決しようとする課題】
流し台の上方に備え付けられる吊戸棚には、一般的に観音開き式の扉が備えられている。
【０００３】
しかし、このような観音開き式の扉は、扉を開いたままで吊戸棚の前側下方で作業をすると、特に大柄な人は扉に頭をぶつけてしまうことがあり、また、小柄な人でも脚立や踏み台に乗って吊戸棚内の物を取り出すような作業をする場合には、開いた扉に頭をぶつけてしまうおそれがある。
【０００４】
また、最近は、吊戸棚の前面開口部から手前側の斜め下方へ引き出し配設できる昇降式の棚配設用の収納装置が備えられている吊戸棚もあるが、この収納装置を備えた吊戸棚の扉として、扉の上縁部と吊戸棚の開口部の上縁部とを枢着することで扉を起伏開閉自在に設け、収納装置の引き出し下降作動に伴って扉が上方へ起動開放するフラップ式（スイング式）の開閉扉がある。
【０００５】
そして、このフラップ開閉式の扉であれば、開放時に扉が上方に位置することになり、扉を開いたままで吊戸棚の前側下方で作業をしても頭をぶつけにくいために、吊戸棚における上記観音開き式扉の欠点を解決できると考えられる。
【０００６】
しかし、このフラップ式開閉の扉は、収納装置とセットであれば、収納装置の出し入れ作動に伴って開閉する構造（例えば、特開２００２−１４２８８０号に示されたような構造）とすることもできるが、収納装置のない構造であると、扉操作用のハンドルは普通扉の下部などに設けられるが、扉を開放した際には、このハンドル部も上方に上がってしまうために手が届かなくなってしまい、再び閉めることが非常に困難になるという不便さが生じてしまうことになる。
【０００７】
本発明は、このような現状に鑑み、これを解決するためのもので、扉を開放しながら吊戸棚の前側下方で作業をしても頭が扉に当たることがなく、且つ開放時でもハンドル部が手前にあって操作性を損なわない開閉扉を備えた画期的な吊戸棚を提供するものである。
【０００８】
【課題を解決するための手段】
添付図面を参照して本発明の要旨を説明する。
【０００９】
前面開口形の棚体１に、この開口部１Ａの上側部分を開閉自在に閉塞する上扉２と、開口部１Ａの下側部分を開閉自在に閉塞する下扉３とを設け、上扉２は開口部１Ａの上縁部に枢着して起動開放し得るように構成し、下扉３は開口部１Ａに沿って下方へスライド自在に設けてスライド開放し得るように構成し、この下扉３に開閉操作用ハンドル部４を設け、この下扉３と上扉２とを連動機構５を介して連結すると共に、この連動機構５によりハンドル部４を操作して下扉３を下方へスライド移動させると、前記上扉２が連動起動して前記開口部１Ａが開放するように構成したことを特徴とする吊戸棚に係るものである。
【００１０】
また、前記棚体１の開口部１Ａを閉塞している前記下扉３を下方へスライド移動させると、前記上扉２が連動起動して開口部１Ａが開放し、この開放状態から下扉３を上方へスライド移動させると、上扉２が連動伏動して開口部１Ａが閉塞する前記連動機構５を構成したことを特徴とする請求項１記載の吊戸棚に係るものである。
【００１１】
また、前記上扉２と前記下扉３とをリンク装置６を介して連結し、このリンク装置６により下扉３を下方へスライド移動させると、同時に上扉２が起動開放する前記連動機構５を構成したことを特徴とする請求項１，２のいずれか１項に記載の吊戸棚に係るものである。
【００１２】
また、前記下扉３と前記上扉２を、前記開口部１Ａを閉塞した状態と、開放した状態とに保持する保持機構７を備えたことを特徴とする請求項１〜３のいずれか１項に記載の吊戸棚に係るものである。
【００１３】
また、前記連動機構５に、前記下扉３と前記上扉２が前記開口部１Ａを閉塞した状態と、開放した状態とを弾圧付勢して保持する弾性体７Ａを設けて前記保持機構７を構成し、この弾性体７Ａの弾圧付勢力に抗して下扉３と上扉２とを開放若しくは閉塞し得るように構成したことを特徴とする請求項４記載の吊戸棚に係るものである。
【００１４】
また、前記開口部１Ａを開放するために前記下扉３を下方へスライド移動させる際には、この下扉３の自重が前記弾性体７Ａの付勢力に抗する下向きの力として作用し、開口部１Ａを閉塞するために下扉３を上方へスライド移動させる際には、前記上扉２の自重が前記弾性体７Ａの付勢力に抗する下向きの力として作用するように上扉２と下扉３の重さと弾性体７Ａの付勢力とを設定したことを特徴とする請求項５記載の吊戸棚に係るものである。
【００１５】
また、前記上扉２と前記下扉３とは、前記棚体１内に設置した棚配設用収納装置８がこの棚体１の前側下方へ引き出し配設する際に引き出しの妨げとならない位置まで起動退避及びスライド退避して前記開口部１Ａを開放し得るように構成したことを特徴とする請求項１〜６のいずれか１項に記載の吊戸棚に係るものである。
【００１６】
【発明の実施の形態】
好適と考える本発明の実施の形態（発明をどのように実施するか）を、図面に基づいてその作用効果を示して簡単に説明する。
【００１７】
上扉２と下扉３とが棚体１の前面開口部１Ａを閉塞している状態から、開閉操作用ハンドル部４を操作して下扉３を下方へスライド移動させると、開口部１Ａの下側部分から下扉３がスライド退避してこの開口部１Ａの下側部分が開放すると共に、連動機構５により上扉２が連動起動して開口部１Ａの上側部分も開放し、開口部１Ａの全面が開放することになる。
【００１８】
従って、単に、下扉３を下方へスライド移動させるだけの操作で同時に上扉２も開くために、手の届かない上扉２を操作せずに開口部１Ａの開放操作を容易に行うことができ、しかもこの開口部１Ａの開放状態においては、上扉２は棚体１の上方へ起動退避し、下扉３は棚体１の下方へスライド退避しているため、棚体１（吊戸棚）の前側下方で作業しても、また、脚立や踏み台に乗って棚体１の前側で作業を行っても上扉２にも下扉３にも頭をぶつけるようなことがなく、従来の観音開き式の扉が備えられた吊戸棚に比して非常に実用的となる。
【００１９】
また、ハンドル部４は開口部１Ａの下方へスライド退避した下扉３に設けられているため、開口部１Ａを開放した状態でもこのハンドル部４を操作しづらくならず、下扉３を例えば上方へスライドさせて開口部１Ａを閉塞するような操作も容易に行われることになる。
【００２０】
また、例えば、前記棚体１の開口部１Ａを閉塞している前記下扉３を下方へスライド移動させると、前記上扉２が連動起動して開口部１Ａが開放し、この開放状態から下扉３を上方へスライド移動させると、上扉２が連動伏動して開口部１Ａが閉塞する前記連動機構５を構成すれば、開口部１Ａを閉塞する操作も単に下扉３を上方へスライドさせるだけの操作で容易に行われることになり、一層実用的となる。
【００２１】
また、例えば、前記上扉２と前記下扉３とをリンク装置６を介して連結し、このリンク装置６により下扉３を下方へスライド移動させると、同時に上扉２が起動開放する前記連動機構５を構成すれば、前記作用・効果を確実に発揮する連動機構５を簡易に設計実現可能となり、一層実用的となる。
【００２２】
また、例えば、前記下扉３と前記上扉２を、前記開口部１Ａを閉塞した状態と、開放した状態とに保持する保持機構７を備えれば、下扉３と上扉２とが勝手に開いたり閉じたりすることなく、確実に開いた状態と閉じた状態で保持されるために一層実用的となる。
【００２３】
また、例えば、前記連動機構５に、前記下扉３と前記上扉２が前記開口部１Ａを閉塞した状態と、開放した状態とを弾圧付勢して保持する弾性体７Ａを設けて前記保持機構７を構成し、この弾性体７Ａの弾圧付勢力に抗して下扉３と上扉２とを開放若しくは閉塞し得るように構成すれば、前記作用・効果を確実に発揮する保持機構７を簡易に設計実現可能となり、一層実用的となる。
【００２４】
また、例えば、前記開口部１Ａを開放するために前記下扉３を下方へスライド移動させる際には、この下扉３の自重が前記弾性体７Ａの付勢力に抗する下向きの力として作用し、開口部１Ａを閉塞するために下扉３を上方へスライド移動させる際には、前記上扉２の自重が前記弾性体７Ａの付勢力に抗する下向きの力として作用するように上扉２と下扉３の重さと弾性体７Ａの付勢力とを設定すれば、開口部１Ａが開いた状態と閉じた状態で下扉３と上扉２とが付勢保持される構成でありながら、開口部１Ａを開くために下扉３を下方へスライドさせる際には、この下扉３の自重によって下方へ落下しようとする力が弾性体７Ａの付勢力に抗するために簡単に開口部１Ａを開放することができるし、開口部１Ａを閉じるために下扉３を上方へスライドさせる際には上扉２が自重によって下方へ伏動しようとする力が弾性体７Ａの付勢力に抗するために簡単に開口部１Ａを閉塞することができ、一層開閉操作性に秀れることとなる。
【００２５】
また、例えば、前記上扉２と前記下扉３とは、前記棚体１内に設置した棚配設用収納装置８がこの棚体１の前側下方へ引き出し配設する際に引き出しの妨げとならない位置まで起動退避及びスライド退避して前記開口部１Ａを開放し得るように構成すれば、収納装置８を設置するに適した構成となり、収納装置８付の一層商品性の向上した吊戸棚を提供することが可能となる。
【００２６】
【実施例】
本発明の具体的な実施例について図面に基づいて説明する。
【００２７】
本実施例は、前面開口形の棚体１に、この開口部１Ａの上側部分を開閉自在に閉塞する上扉２と、開口部１Ａの下側部分を開閉自在に閉塞する下扉３とを設け、上扉２は開口部１Ａの上縁部に枢着して起動開放し得るように構成し、下扉３は開口部１Ａに沿って下方へスライド自在に設けてスライド開放し得るように構成している。
【００２８】
具体的に説明すると、棚体１は、前面部が方形状に開放する一般的な吊戸棚を採用している。
【００２９】
上扉２と下扉３とは、図１に示すように、略同形状をなす横長方形状の板体に構成し、上扉２が方形状の棚体１の上側半分を閉塞し、下扉３が棚体１の下側半分を閉塞し得るように構成している。
【００３０】
上扉２の棚体１への取付構造を説明すると、図２，図３に示すように、この上扉２の上縁部を棚体１の上縁部に蝶番９により起伏開閉回動自在に枢着した構造としている。また、この上扉２は、蝶番９により棚体１の上壁部と略面一となる略水平状態にまで起動回動可能となる構成としている。
【００３１】
また、下扉３の棚体１への取付構造を説明すると、図２，図３に示すように、棚体１の左右の内側面に夫々長尺なガイドレール部１０を縦設状態にして付設し、この左右夫々のガイドレール部１０にこのガイドレール部１０に添って上下スライド自在なスライド体１１を装着し、この左右のスライド体１１に下扉３を付設してスライド体１１の前記ガイドレール部１０に対する上下スライド移動に伴い下扉３が上下方向にスライド開閉自在となる構造としている。
【００３２】
また、図３に示すように、ガイドレール部１０を棚体１の開口部１Ａに対しやや後傾状態に縦設して、下扉３が下方へスライド移動させるにつれて徐々に棚体１の前方へ移動するように設け、これによりスライド時に下扉３が棚体１に接触しにくくスムーズに下方へスライド移動し得る構成としている。
【００３３】
また、本実施例では、棚体１に対し下扉３が起伏動するように構成し、これにより下扉３が開口部１Ａの下側を閉塞している状態でも、この下扉３の下部を起動させることで、棚体１内を覗き見ることができるように構成している。従って、これにより棚体１内の収納物をちょっと確認したいときに便利となる構成としている。
【００３４】
具体的に説明すると、下扉３の上縁部の左右両端部に取付板体１２を上方へ向けて突設し、この左右の取付板体１２の突出先端部を前記スライド体１１に夫々枢着することで、この取付板体１２を介して下扉３をスライド体１１に付設した構成とすると共に、この取付板体１２の枢着軸部１７を支点に棚体１に対し下扉３が起伏動する構成としている。
【００３５】
また、この下扉３は、図３に示すように、下方へスライド移動して開口部１Ａの下側を開放した際に、上縁部が棚体１の下壁部よりも下方へ位置するようにガイドレール部１０の長さ及び取付板体１２の長さを設定構成している。
【００３６】
また、本実施例では、下扉３に開閉操作用ハンドル部４を設けている。
【００３７】
具体的に説明すると、下扉３の下縁部に、この下縁部に沿った長さを有する断面略コ字状の被嵌体１４を下方から被嵌固定し、この被嵌体１４の下端（底面部）に下扉３の前方へ向かって略水平に延設突設する突出片を形成して、この突出片をハンドル部４としている。
【００３８】
また、本実施例では、下扉３と上扉２とを連動機構５を介して連結すると共に、この連動機構５によりハンドル部４を操作して下扉３を下方へスライド移動させると、前記上扉２が連動起動して開口部１Ａが開放し、この開放状態から下扉３を上方へスライド移動させると、上扉２が連動伏動して開口部１Ａが閉塞するように構成している。
【００３９】
具体的に説明すると、上扉２と下扉３とをリンク装置６を介して連結し、このリンク装置６により下扉３を下方へスライド移動させると、同時に上扉２が起動開放し、下扉３を上方へスライド移動させると、同時に上扉２が伏動閉塞する構成としている。
【００４０】
更に詳しくは、リンク装置６は、上扉２に連結する第一リンク体６Ａと、下扉３に連結する第二リンク体６Ｂとから成る構成としている。
【００４１】
第一リンク体６Ａは、図３に示すように、略へ字状を呈する細長い板材により構成してこの第一リンク体６Ａの途中の屈曲部を前記棚体１の左右の内側面上部に付設した受板１３に回動自在に枢着している。
【００４２】
また、この第一リンク体６Ａの一端部（図３において開口部１Ａより前側外方へ突出している側の端部）にローラ１５を設け、このローラ１５を上扉２の内面左右部に縦設状態に付設したローラガイド１６にスライド自在に装着することで第一リンク体６Ａを上扉２に連結した構成とし、図３に示すように上扉２を起動させるとローラ１５がローラガイド１６を上扉２の上縁側に向かってスライド移動すると共に、第一リンク体６Ａの一端部が上動して受板１３の枢着部１３Ａを支点に第一リンク体６Ａの他端部が下動することになり、逆に上扉２を下方へ伏動させるとローラ１５がローラガイド１６を上扉２の下縁側に向かってスライド移動すると共に、第一リンク体６Ａの一端部が下動して受板１３の枢着部１３Ａを支点に第一リンク体６Ａの他端部が上動することになる構成としている（図３中の二点鎖線図参照）。
【００４３】
第二リンク体６Ｂは、直線状を呈する細長い板材により構成し、この第二リンク体６Ｂの一端部（図３中の上端部）を前記第一リンク体６Ａの他端部に枢着連結すると共に、他端部を前記スライド体１０に枢着連結している。
【００４４】
即ち、本実施例では、スライド体１０（・取付板体１２）を介して下扉３に間接的に第二リンク体６Ｂを連結した構成としている。
【００４５】
このリンク装置６の作動を説明すると、下扉３を下方へスライド移動させると、第二リンク体６Ｂも下動して第一リンク体６Ａの他端部を下方へ引き寄せることとなり、これにより第一リンク体６Ａの他端部は前記受板１３の枢着部１３Ａを支点に下動して一端部が上動し、この一端部の上動作動に連動して前述のようにローラ１５により上扉２が上方へ起動回動することになり、開口部１Ａの全面が開放することになる構成としている（図３参照）。
【００４６】
また、逆に、この開放状態から下扉３を上方へスライド移動させると、第二リンク体６Ｂも上動して徐々に後傾斜しながら第一リンク体６Ａの他端部を上方へ押し上げることとなり、これにより第一リンク体６Ａの他端部は前記枢着部１３Ａを支点に上動して一端部が下動し、この一端部の下動作動に連動して前述のようにローラ１５により上扉２が下方へ伏動回動することになり、開口部１Ａが閉塞することになる。
【００４７】
また、本実施例では、下扉３を最下限までスライド移動させて下扉３の上縁部が棚体１の下壁部よりも下方へ位置した際に、上扉２が最上限まで起動して棚体１の上壁部と略面一状態（略水平状態）となるように前記リンク装置６を構成している。
【００４８】
従って、上扉２と下扉３を開いて開口部１Ａを開放した際には、夫々の停止位置が棚体１内の内壁面より内側へ入った位置とはならないため、棚体１内の収納物を取り出す際にも棚体１内へ収納物を収納する際にも上扉２と下扉３とが邪魔になることはなく、また、図５に示すように、前記棚体１内に開口部１Ａより引き出し可能な昇降式の棚配設用収納装置８を設置した場合でも、開口部１Ａを開放した際には、上扉２と下扉３とが収納装置８を棚体１の前側下方へ引き出し配設する際に引き出しの妨げとならない位置まで起動退避及びスライド退避しているので、昇降式収納装置８の設置にも適した吊戸棚構造となる。図中符号８Ａは収納装置８を棚体１内に固定するための固定具、８Ｂは収納装置８と固定具８Ａとを連結する連結アームである。
【００４９】
また、本実施例では、前記下扉３と前記上扉２を、前記開口部１Ａを閉塞した状態と、開放した状態とに保持する保持機構７を備えている。
【００５０】
具体的に説明すると、前記連動機構５に、下扉３と上扉２が前記開口部１Ａを閉塞した状態と、開放した状態とを弾圧付勢して保持する弾性体７Ａを設けて前記保持機構７を構成し、この弾性体７Ａの弾圧付勢力に抗して下扉３と上扉２とを開放若しくは閉塞し得るように構成している。
【００５１】
弾性体７Ａは、抗張弾性を有するコイルバネを採用し、この弾性体７Ａの一端部を第一リンク体６Ａの一端部の近傍に固定すると共に、この弾性体７Ａの他端部を前記受板１３の前記枢着部１３Ａよりも棚体１内の奥側位置に固定している。
【００５２】
また、この弾性体７Ａの固定位置と、前記枢着部１３Ａとの位置関係を図４を用いて更に説明する。尚、図４では、上扉２が起動開放した状態での第一リンク体６Ａと弾性体７Ａとの様子を示しており、この状態で第一リンク体６Ａのローラ１５を備えた一端部が下方へ勝手に回動して上扉２が閉塞状態とならないように弾性体７Ａの抗張弾性（付勢力）を設定している。
【００５３】
枢着部１３Ａの位置は、上扉２が開放した状態での弾性体７Ａよりも下方に位置し、且つ図４中の二点鎖線は上扉２が開口部１Ａの上側を閉塞した状態での第一リンク体６Ａと弾性体７Ａとを示しているが、この二点鎖線で示した弾性体７Ａよりも上方に位置するように設定している。
【００５４】
また、第一リンク体６Ａが枢着部１３Ａを支点に回動する際、弾性体７Ａの一端部の固定点１８が図４中の円弧線Ｅ２のような軌跡を辿るようにこの弾性体７Ａの固定位置と枢着部１３Ａとの位置関係を設定しているもので、図４中の円弧線Ｅ１は、上扉２が開放した状態での弾性体７Ａの長さを半径とし、弾性体７Ａの他端部の固定点１９を中心とした円の一部を示しているが、この円弧線Ｅ１より円弧線Ｅ２の軌跡が外側（棚体１の前方側）にある第一リンク体６Ａの回動範囲では、弾性体７Ａが伸張してより強い抗張弾性を生じるように構成している。
【００５５】
従って、このように弾性体７Ａの固定位置と、枢着部１３Ａとの位置関係を設定したことにより、枢着部１３Ａと前記固定点１８を結ぶ直線（一点鎖線）Ｔを基準として、この直線Ｔより弾性体７Ａが少しでも上側へ移動するように第一リンク体６Ａが回動すると、弾性体７Ａの強い抗張弾性により上扉２が起動しようとする方向へ付勢され、上扉２が略水平状態（起動最上限）に起動した状態でこの弾性体７Ａの付勢力により保持されて同時に下扉３も開口部１Ａより下方へスライド移動した開放状態に保持されることとなり、逆に直線Ｔより弾性体７Ａが下側へ移動するように第一リンク体６Ａを回動すると、弾性体７Ａの強い抗張弾性により上扉２が伏動しようとする方向へ付勢され、上扉２が略垂直となった状態（開口部１Ａを閉塞した状態）でこの弾性体７Ａの付勢力により保持されて同時に下扉３も開口部１Ａの下側を閉塞した状態に保持されることとなる構成としている。
【００５６】
また、本実施例では、上扉２と下扉３との動作速度が速過ぎたり遅過ぎたりせず適度な速度で作動するように前記弾性体７Ａの抗張弾性（付勢力）を設定し、これによりダンパーなどの動作制御装置を具備して上扉２及び下扉３の動作速度を制御するような構成とした場合に比してコスト減を図っている。
【００５７】
また、本実施例では、前記開口部１Ａを開放するために前記下扉３を下方へスライド移動させる際には、この下扉３の自重が前記弾性体７Ａの付勢力に抗する下向きの力として作用し、開口部１Ａを閉塞するために下扉３を上方へスライド移動させる際には、前記リンク機構６を介して前記上扉２の自重が前記弾性体７Ａの付勢力に抗する下向きの力として作用するように上扉２と下扉３の重さと弾性体７Ａの付勢力とを設定している。
【００５８】
従って、開口部１Ａが開いた状態と閉じた状態で下扉３と上扉２とが弾性体７Ａによって付勢保持される構成でありながら、開口部１Ａを開くために下扉３を下方へスライドさせる際には、この下扉３の自重によって下方へ落下しようとする力が弾性体７Ａの付勢力に抗するために、軽い力で簡単に開口部１Ａを開放することができるし、逆に開口部１Ａを閉じるために下扉３を上方へスライドさせる際には上扉２が自重によって下方へ伏動しようとする力が弾性体７Ａの付勢力に抗するために、同様に軽い力で簡単に開口部１Ａを閉塞することができる構成としている。
【００５９】
尚、本発明は、本実施例に限られるものではなく、各構成要件の具体的構成は適宜設計し得るものである。
【００６０】
【発明の効果】
本発明は上述のように構成したから、単に、下扉を下方へスライド移動させるだけの操作で同時に上扉も開くので、手の届かない上扉の操作を要することなく開口部の開放操作を容易に行うことができ、しかもこの開口部の開放状態においては、上扉は棚体の上方へ起動退避し、下扉は棚体の下方へスライド退避しているため、棚体（吊戸棚）の前側下方で作業しても、また、脚立や踏み台に乗って棚体の前側で作業を行っても上扉にも下扉にも頭をぶつけるようなことがなく、従来の観音開き式の扉が備えられた吊戸棚に比して非常に実用的となり、その上、開口部を開放した状態でも、ハンドル部は開口部の下方へスライド退避した下扉に設けられているため、このハンドル部を操作しづらくならず、下扉を上方へスライドさせて開口部を閉塞する操作も容易に行われることになるなど、極めて実用性に秀れた画期的な吊戸棚となる。
【００６１】
また、請求項２記載の発明においては、開口部を閉塞する操作も単に下扉を上方へスライドさせるだけの操作で容易に行われることになる一層実用性に秀れた構成の吊戸棚となる。
【００６２】
また、請求項３記載の発明においては、前記作用・効果を確実に発揮する連動機構を簡易に設計実現可能となる一層実用性に秀れた構成の吊戸棚となる。
【００６３】
また、請求項４記載の発明においては、下扉と上扉とが勝手に開いたり閉じたりすることなく、開いた状態と閉じた状態とで保持される一層実用性に秀れた構成の吊戸棚となる。
【００６４】
また、請求項５記載の発明においては、前記作用・効果を確実に発揮する保持機構を簡易に設計実現可能となる一層実用性に秀れた構成の吊戸棚となる。
【００６５】
また、請求項６記載の発明においては、開口部が開いた状態と閉じた状態で下扉と上扉とが付勢保持される構成でありながら、開口部を開くために下扉を下方へスライドさせる際には、この下扉の自重によって下方へ落下しようとする力が弾性体の付勢力に抗するために簡単に開口部を開放することができるし、開口部を閉じるために下扉を上方へスライドさせる際には上扉が自重によって下方へ伏動しようとする力が弾性体の付勢力に抗するために簡単に開口部を閉塞することができる一層開閉操作性に秀れた実用的な吊戸棚となる。
【００６６】
また、請求項７記載の発明においては、昇降式の収納装置を設置するに適した構成となり、収納装置付の一層商品性の向上した吊戸棚を提供することが可能となる秀れた構成の吊戸棚となる。
【図面の簡単な説明】
【図１】本実施例を示す斜視図である。
【図２】本実施例の上扉と下扉とを開放した状態を示す斜視図である。
【図３】本実施例の上扉と下扉とを開放した状態における側断面図である。
【図４】本実施例の弾性体による保持機構の作動を示す部分拡大説明図である。
【図５】本実施例の収納装置付の吊戸棚に構成し、開口部より収納装置を引き出した状態を示す説明側断面図である。
【符号の説明】
１  棚体
１Ａ  開口部
２  上扉
３  下扉
４  ハンドル部
５  連動機構
６  リンク装置
７  保持機構
７Ａ  弾性体
８  収納装置
【図１】
2004305492.tif 000003
【図２】
2004305492.tif 000004
【図３】
2004305492.tif 000005
【図４】
2004305492.tif 000006
【図５】
2004305492.tif 000007